(57)【要約】【課題】他の装置の充電状態に関する情報を通知する。【解決手段】情報処理装置であって、送電装置が対応する無線電力伝送方式の第１の種別を示す情報を取得する第１の取得部と、他の装置が対応する無線電力伝送方式の第２の種別を示す情報と、他の装置の充電状態を示す情報とを取得する第２の取得部と、第１の種別と第２の種別と他の装置の充電状態を示す情報とに基づいて、他の装置の充電状態に関する情報を通知する通知部とを備える。【選択図】  図４
2018101908.tif 000002
【特許請求の範囲】
【請求項１】
送電装置が対応する無線電力伝送方式の第１の種別を示す情報を取得する第１の取得手段と、
他の装置が対応する無線電力伝送方式の第２の種別を示す情報と、前記他の装置の充電状態を示す情報とを取得する第２の取得手段と、
前記第１の種別と前記第２の種別と前記他の装置の充電状態を示す情報とに基づいて、前記他の装置の充電状態に関する情報を通知する通知手段と、
を備えることを特徴とする情報処理装置。
【請求項２】
前記通知手段は、前記第１の種別と前記第２の種別とが一致する場合に、前記他の装置の充電状態に関する情報をユーザに通知することを特徴とする請求項１に記載の情報処理装置。
【請求項３】
前記通知手段は、前記第１の種別と前記第２の種別と前記他の装置のバッテリ残量とに基づいて、前記他の装置の充電状態に関する情報を通知することを特徴とする請求項１に記載の情報処理装置。
【請求項４】
前記通知手段は、前記第１の種別と前記第２の種別とが一致しており且つ前記他の装置のバッテリ残量が所定値未満である場合に、前記他の装置の充電状態に関する情報をユーザに通知することを特徴とする請求項３に記載の情報処理装置。
【請求項５】
前記送電装置の存在を検出する検出手段をさらに備え、
前記第１の取得手段は、前記検出手段により検出された前記送電装置から前記第１の種別を示す情報を取得することを特徴とする請求項１乃至４の何れか１項に記載の情報処理装置。
【請求項６】
前記検出手段は、前記情報処理装置が前記送電装置から受電しているか否かに基づいて前記送電装置の存在を検出することを特徴とする請求項５に記載の情報処理装置。
【請求項７】
前記検出手段は、前記送電装置が存在する場所を示す情報と、前記情報処理装置の現在地を示す情報とに基づいて、前記送電装置の存在を検出することを特徴とする請求項５に記載の情報処理装置。
【請求項８】
前記他の装置の充電状態に関する情報は、前記他の装置を識別するための情報を含むことを特徴とする請求項１乃至７の何れか１項に記載の情報処理装置。
【請求項９】
前記他の装置との間で無線通信を確立する通信手段をさらに備えることを特徴とする請求項１乃至８の何れか１項に記載の情報処理装置。
【請求項１０】
前記他の装置の充電状態に関する情報は、前記他の装置のバッテリ残量を含むことを特徴とする請求項１乃至９の何れか１項に記載の情報処理装置。
【請求項１１】
前記通知手段は、前記送電装置から前記情報処理装置に対する無線電力伝送が行われている場合、前記送電装置からの無線電力伝送により前記他の装置を充電することをユーザに促すための通知を行うことを特徴とする請求項１乃至１０の何れか１項に記載の情報処理装置。
【請求項１２】
情報処理装置の制御方法であって、
送電装置が対応する無線電力伝送方式の第１の種別を示す情報を取得する第１の取得工程と、
他の装置が対応する無線電力伝送方式の第２の種別を示す情報と、前記他の装置の充電状態を示す情報とを取得する第２の取得工程と、
前記第１の種別と前記第２の種別と前記他の装置の充電状態を示す情報とに基づいて、前記他の装置の充電状態に関する情報を通知する通知工程と、
を有することを特徴とする情報処理装置の制御方法。
【請求項１３】
コンピュータを、請求項１乃至１１の何れか１項に記載の情報処理装置の各手段として機能させるためのプログラム。
【発明の詳細な説明】
【技術分野】
【０００１】
本発明は、無線電力伝送に関する。
【背景技術】
【０００２】
従来、無線で電力を送信する送電装置と、送電装置から供給された電力を受電する受電装置とを含む無線電力伝送システムが知られている。無線電力伝送により、充電台に置くとバッテリに充電可能なスマートフォンやスマートウォッチ等の機器の普及が進んでいる。これらの機器が対応する無線電力伝送の標準規格として、Ｑｉ（登録商標）やＲｅｚｅｎｃｅ（登録商標）等が知られている。
【０００３】
ユーザがバッテリへの充電を忘れる等して、バッテリ残量がなくなると、機器が処理の途中で停止してしまう場合がある。これに対して、特許文献１は、処理の途中でバッテリ残量が無くなると予測される場合には、処理を開始する時点で予めユーザに通知する技術を開示している。
【先行技術文献】
【特許文献】
【０００４】
【特許文献１】特開２００９−４９６５号公報
【発明の概要】
【発明が解決しようとする課題】
【０００５】
しかし、特許文献１に記載の技術を用いたとしても、充電が必要な機器が複数になると、ユーザは各機器の充電状態を把握することが困難となり、充電を忘れてしまう可能性が高まるという課題がある。スマートウォッチ等のウェアラブル機器においては、身につけている状態から取り外して充電台に置く操作が煩雑であることから、充電を忘れる可能性が特に高くなる。
【０００６】
本発明は、上記の課題に鑑みてなされたものであり、他の装置の充電状態に関する情報を通知するための技術を提供することを目的とする。
【課題を解決するための手段】
【０００７】
上記の目的を達成する本発明に係る情報処理装置は、
送電装置が対応する無線電力伝送方式の第１の種別を示す情報を取得する第１の取得手段と、
他の装置が対応する無線電力伝送方式の第２の種別を示す情報と、前記他の装置の充電状態を示す情報とを取得する第２の取得手段と、
前記第１の種別と前記第２の種別と前記他の装置の充電状態を示す情報とに基づいて、前記他の装置の充電状態に関する情報を通知する通知手段と、
を備えることを特徴とする。
【発明の効果】
【０００８】
本発明によれば、他の装置の充電状態に関する情報を通知することが可能となる。
【図面の簡単な説明】
【０００９】
【図１】無線電力伝送システムの構成を表す図である。
【図２】送電装置の構成を表す図である。
【図３】受電装置の構成を表す図である。
【図４】受電装置のフローチャートを表す図である。
【図５】ユーザへの通知の表示例を示す図である。
【図６】本発明の効果を説明するための図である。
【発明を実施するための形態】
【００１０】
以下、図面を参照しながら実施形態を説明する。なお、以下の実施形態において示す構成は一例に過ぎず、本発明は図示された構成に限定されるものではない。
【００１１】
＜システム構成＞
本実施形態に係る無線電力伝送を行う無線電力伝送システムの構成を図１に示す。本実施形態に係る無線電力伝送システムは、磁界共鳴方式を用いて無線電力伝送を行うものとする。磁界共鳴方式は送電装置の共振器（共鳴素子）と、受電装置の共振器（共鳴素子）との間の磁場の共鳴（共振）による結合によって電力を伝送する方式である。しかしながら、無線電力伝送方式（非接触電力伝送方法）は磁界共鳴方式に限るものではなく、電磁誘導方式、電界共鳴方式、マイクロ波方式、レーザ等を利用した電力伝送方式を用いてもよい。
【００１２】
図１において、１０１は送電装置、１０２と１０３は受電装置（情報処理装置）である。送電装置１０１は、充電台１１０に置かれた物体に対して無線で電力を送電する送電装置である。受電装置１０２と受電装置１０３は、送電装置１０１から無線で送電された電力を受電する受電装置である。受電装置１０２と受電装置１０３は、それぞれ自装置の電源として使用可能なバッテリを備え、送電装置１０１から受電した電力によりバッテリを充電する。受電装置１０２は、例えばスマートフォンである。受電装置１０３は、例えばスマートウォッチである。受電装置１０２と受電装置１０３は、これらの例に限定されるものではなく、それぞれ他の装置であってもよい。
【００１３】
送電装置１０１は、充電台１１０に置かれた物体を通信により認証し、受電装置であった場合に、充電用の電力を送電する。また送電装置１０１は、受電装置が満充電になったら送電を停止する等の制御を行う。送電装置１０１は、送電を専用に行う装置だけでなく、例えばプリンタ、パーソナルコンピュータ等の装置であってもよい。
【００１４】
本実施形態に係る無線電力伝送システムにおいて、送電装置１０１は、充電台１１０に置かれた受電装置と無線通信を行う。また、これとは別に受電装置１０２と受電装置１０３との間でも無線通信を行う。
【００１５】
まず、送電装置１０１と充電台１１０に置かれた受電装置との間の無線通信について述べる。送電装置１０１と受電装置との間では、認証を行うための通信や無線電力伝送を制御するための制御情報を通信する。以下、装置間での電力の受け渡しは、送電、受電または電力伝送（無線電力伝送）と表現し、装置間での認証のためのやり取りや制御情報のやり取りは、単に通信（無線通信）と表現する。
【００１６】
なお、本実施形態の無線電力伝送システムの送電装置と受電装置との間で行う通信は、Ｂｌｕｅｔｏｏｔｈ（登録商標）４．０規格に準拠する通信を用いる。Ｂｌｕｅｔｏｏｔｈ（登録商標）４．０では、Ｂｌｕｅｔｏｏｔｈ（登録商標）  Ｌｏｗ  Ｅｎｅｒｇｙ（ＢＬＥ）という比較的少ない消費電力で通信可能な通信方式が規定されている。なお、本無線電力伝送システムでは、送電装置１０１は、ネットワークの親局である、ＢＬＥに規定されるセントラルとして動作する。送電装置１０１は、一度に複数の受電装置に対して送電を行うために、複数の受電装置夫々と通信を行う必要がある。したがって、送電装置１０１は複数の受電装置夫々と通信を行うため、セントラルとして動作する。また、受電装置は、セントラルに接続し、セントラルによる制御に基づいて通信を行う、ＢＬＥに規定されるペリフェラルとして動作する。なお、送電装置１０１がペリフェラルで受電装置１０２がセントラルとなってもよい。
【００１７】
なお、本実施形態における通信はＢＬＥに準拠した通信を行うものとしたが、その他の通信規格であってもよい。例えば、無線ＬＡＮ（ＩＥＥＥ（Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ，  Ｉｎｃ）８０２．１１シリーズ）であってよい。また、本実施形態における通信は、ＮＦＣ（Ｎｅａｒ  Ｆｉｅｌｄ  Ｃｏｍｍｕｎｉｃａｔｉｏｎ）、ＺｉｇＢｅｅ（登録商標）などであってもよい。また、通信は独自の通信方式、負荷変調であってもよい。また、ここでは送電装置を１台示しているが、２台以上あってもよい。
【００１８】
＜送電装置の構成＞
続いて、無線電力伝送システムの各装置の構成について説明を行う。図２は、無線電力伝送システムの送電装置１０１の構成を示す図である。送電装置１０１は、制御部２０１、電源２０２、送電部２０３、検出部２０４、送電アンテナ２０５、通信部２０６、タイマ２０７、メモリ２０８、入力部２０９及び出力部２１０を有する。 
制御部２０１は、メモリ２０８に記憶されている制御プログラムを読み出して実行することにより装置全体の動作を制御する。制御部２０１の一例はＣＰＵ（Ｃｅｎｔｒａｌ  Ｐｒｏｃｅｓｓｉｎｇ  Ｕｎｉｔ）である。制御部２０１は、制御プログラムを実行中に変数の値を記憶する際にもメモリ２０８を用いる。また制御部２０１は、時間を計測する際にタイマ２０７を用いる。
【００１９】
電源２０２は、送電装置１０１から無線電力伝送を行う際に電力を供給する。電源２０２は、商用電源またはバッテリである。送電部２０３は、電源２０２から入力される直流又は交流電力を、伝送に用いる周波数帯の交流周波数電力に変換し、送電アンテナ２０５を介して受電装置に受電させるための電磁波を発生させる。送電部２０３は、制御部２０１の指示に基づいて、受電装置に送電を行うための電磁波を送電アンテナ２０５から出力する。また、送電部２０３は、送電アンテナ２０５に入力する電圧（送電電圧）を調節することで、出力させる電磁波の強度の制御を行う。送電電圧を大きくすると電磁波の強度が強くなる。また送電部２０３は、制御部２０１の指示に基づいて、送電アンテナ２０５からの送電を停止する制御を行う。
【００２０】
検出部２０４は、送電電圧および送電アンテナ２０５における電流の大きさ（送電電流）を検出する。検出部２０４において検出した送電電圧と送電電流は、制御部２０１により読み出される。なお、送電電圧および送電電流と、電源２０２から送電部２０３に入力される電圧および電流との間の相関関係が既知である場合には、検出部２０４を送電部２０３に入力される電圧および電流を検出するように構成しても良い。このとき、検出部２０４から得た検出値を用いて制御部２０１にて既知の相関関係に基づく演算により送電電圧と送電電流を求めることができる。
【００２１】
通信部２０６は、受電装置と通信する。通信部２０６は、ＢＬＥに準拠した無線通信を制御するためのチップおよび信号を送受信するためのアンテナを含む。入力部２０９は、ユーザからの各種操作の受付を行う。出力部２１０は、ユーザに対して各種出力を行う。ここで、出力部２１０による出力とは、画面上への表示や、スピーカーによる音声出力、振動出力等の少なくとも１つを含む。
【００２２】
＜受電装置の構成＞
続いて、無線電力伝送システムの受電装置１０２の構成について、図３を用いて説明を行う。受電装置１０２は、制御部３０１、バッテリ３０２、受電部３０３、検出部３０４、受電アンテナ３０５、通信部３０６、タイマ３０７、メモリ３０８、入力部３０９、出力部３１０及びスイッチ３１１を有する。制御部３０１は、受電装置１０２を制御する制御部である。制御部３０１は、制御部２０１と同様にタイマ３０７、メモリ３０８、入力部３０９、出力部３１０を用いて装置全体を制御するＣＰＵである。
【００２３】
通信部３０６は、ＢＬＥに準拠した無線通信を制御するためのチップおよび信号を送受信するためのアンテナを含む。受電アンテナ３０５は、送電装置１０１からの無線により供給される電力を伝送するための電磁波を受ける。受電部３０３は、受電アンテナ３０５で受けた電磁波から電力を生成する受電部である。受電部３０３は、受電アンテナ３０５により受けた電磁波により共振を生じ、該共振により交流電力を得る。そして、受電部３０３は、交流電力を直流または所望周波数の交流電力に変換し出力する。バッテリ３０２は、蓄電する。制御部３０１は、バッテリ３０２の出力電圧の大きさに基づいて、バッテリ３０２が満充電であるか否か、あるいは蓄電量や残量を検出する。
【００２４】
制御部３０１は、スイッチ３１１を制御して、電力をバッテリ３０２へ出力するか否かを制御する。スイッチ３１１がＯＮのときに電力がバッテリ３０２に出力される。スイッチ３１１がＯＦＦのときには、電力はバッテリ３０２に出力されず、受電部３０３、制御部３０１、および、通信部３０６に出力される。スイッチ３１１の初期状態はＯＦＦである。
【００２５】
検出部３０４は、送電装置１０１の送電アンテナ２０５から送られてきた電磁波により受電アンテナ３０５に発生する起電力（受電電圧）を検出する検出部である。検出部３０４において検出した受電電圧は、制御部３０１より参照可能である。なお、検出部２０４の説明で述べたのと同様に、検出部３０４は受電部３０３から出力される電圧を検出するように構成してもよい。
【００２６】
受電装置１０２の受電部３０３、制御部３０１及び通信部３０６は、受電していない期間はバッテリ３０２から供給される電力を用いて動作する。なお、受電している期間は送電装置１０１から送電される電力で動作するように構成しても良い。
【００２７】
入力部３０９および出力部３１０は、送電装置１０１の入力部２０９および出力部２１０と同様に、ユーザからの各種操作の受付やユーザに対する各種出力を行う。なお、タッチパネルのように入力部３０９および出力部３１０の両方を１つのモジュールで実現するようにしてもよい。
【００２８】
＜送電の種類＞
以上の構成を有する無線電力伝送システムにおける送電装置１０１は、検出用送電、認証用送電、充電用送電のうちいずれかの送電を選択的に行う。
【００２９】
検出用送電は、送電装置１０１上に、物体が少なくとも一つ載置されているか否かを検出するための送電である。検出用送電においては、送電装置１０１は送電アンテナ２０５から弱い電磁波を間欠的に発生させる。これにより、物体が載置されていない期間の消費電力を抑えることができる。検出用送電を行っている際に送電装置１０１の送電範囲すなわち充電台１１０の上に物体が載置された場合、該検出用送電は該物体により消費される。この場合、送電装置１０１の送電アンテナ２０５のインピーダンスに変化が生じ、送電アンテナ２０５には定常状態、すなわち受電する物体が一つも載置されていない状態とは異なる電流が流れる。この変化を検出部２０４によって検出することで、送電装置１０１は、自装置の送電範囲に物体が置かれたことを検出することができる。
【００３０】
なお、送電装置１０１は、受電装置１０２が送電範囲に存在する場合の検出部２０４の検出結果の変化値を予め記憶しているものとする。送電装置１０１は、検出部２０４の検出結果が、定常状態における検出結果からこの予め記憶している変化値を超えた変化量を検出した場合、送電範囲に物体が置かれたことを検出する。
【００３１】
また、認証用送電は、送電範囲内にある一つの受電装置に対して、バッテリ残量が無い場合であっても、該受電装置が認証のための通信に要する電力、即ち該受電装置の制御部３０１および通信部３０６が起動するのに十分な電力を供給するための送電である。送電装置１０１は、自装置の送電範囲に物体が存在することを検出した場合、認証用送電を開始する。受電装置の制御部３０１および通信部３０６を起動するのに十分なバッテリ残量がある場合には、受電装置側で認証用送電によって受電した電力を用いないように構成してもよい。
【００３２】
認証用送電を受電した受電装置１０２は、他の装置から通信接続要求を送信させるためのアドバタイズパケットを、認証用送電を検出してから一定期間内（例えば、１００ｍｓ）に通信部３０６から送信する。送電装置１０１は、認証用送電に応答した受電装置１０２からアドバタイズパケットを受信した場合、送電可能範囲に受電装置１０２が存在すると判定する。
【００３３】
なお、アドバタイズパケットは、ブロードキャストで送信されるＢＬＥに規定された信号である。アドバタイズパケットは、自身が存在することを近隣のＢＬＥ対応機器に対して通知する通知信号である。アドバタイズパケットは、自身の機器名や提供するサービスの種類などの情報を含む。また、アドバタイズパケットは、周囲の機器に自装置の存在および周囲の機器からの接続を待っていることを通知するために用いられる。受電装置１０２からのアドバタイズパケットには、自装置が無線電力伝送の受電装置であることを示すサービス情報が含まれている。以降の説明において、アドバタイズパケットを存在通知と称する。
【００３４】
なお、送電装置１０１は、認証用送電を開始してから所定期間以内（例えば、１００ｍｓ）に受電装置１０２から存在通知を受信しない場合、認証用送電を停止する。そして、再び送電アンテナ２０５から電磁波を間欠的に発生させることにより、検出用送電を間欠的に行う。
【００３５】
また、送電装置１０１は、受信した存在通知の送信元である受電装置１０２に対してＣｏｎｎｅｃｔｉｏｎ  Ｒｅｑｕｅｓｔパケット（接続要求）を通信部２０６から送信する。そして、送電装置１０１は、送信した接続要求に応じて受電装置１０２と通信接続を確立する。そして、確立した無線接続を用いて、装置間で送電のためのネゴシエーションを行う認証処理を行う。認証処理においては、送電装置１０１と受電装置１０２との間で確立した通信接続の期間に、それぞれが対応する無線電力伝送方式の種別に関する情報を交換する。具体的には、Ｑｉ（登録商標）やＲｅｚｅｎｃｅ（登録商標）などの種別を表す識別子である。さらに、送受電可能な電力量、ハードウェア構成、対応している電力伝送規格のバージョン、通信プロトコルのバージョン等の情報を含んでも良い。また、受電装置１０２は、これら情報の一部または全部を、アドバタイズパケットで送信してもよい。
【００３６】
ＢＬＥではデータパケットの交換の機会が周期的に発生する。この機会をＣｏｎｎｅｃｔｉｏｎ  Ｅｖｅｎｔと呼ぶ。送電装置１０１は、最初のＣｏｎｎｅｃｔｉｏｎ  Ｅｖｅｎｔで送信するデータパケットにて、受電装置１０２に対して必要な電力値を通知するように要求する。受電装置１０２は当該要求に応答して、必要な電力値を次のデータパケットに含めて送信する。
【００３７】
認証処理は、送電装置１０１と受電装置１０２が対応する無線電力伝送方式の種別が一致すれば成功する。種別が一致するための条件として、識別子が一致することの他に、プロトコルのバージョンが一致することや、受電装置１０２が要求する電力が送電装置１０１で送電可能な電力と同じか下回ること、等の条件を追加しても良い。さらに、パスワードを交換して一致することを条件に追加してもよい。さらに、認証処理のための通信にタイムアウト時間を設けて、時間内に終了しない場合は不成功としても良い。認証が不成功の場合、充電用送電は行わない。
【００３８】
この認証処理によって、送電装置１０１は、送電範囲に存在する物体が送電を要求する受電装置であることを確認することができる。一方、認証処理によって、受電装置１０２は、通信接続した送電装置１０１が電力の供給を実行可能であるか否かを確認することができる。送電装置１０１は、認証処理の間、認証用送電を継続して送電し、受電装置１０２に対して能力情報の通信を行わせるための送電を行う。
【００３９】
送電装置１０１は、認証処理による認証が成功した場合、つまり、受電装置１０２とのネゴシエーションが成立した場合、充電用送電を行う。充電用送電は、検出用送電の電力および認証用送電の電力より大きい電力を受電装置１０２に送電する。充電用送電を行うに際して、送電装置１０１は、通信部２０６によって、受電している電力の値、送電量の増減の要求、送電の停止などの無線電力伝送を制御するための制御情報を受電装置１０２から受信する。即ち、充電用送電は、受電装置１０２からの要求に応じた送電である。
【００４０】
なお、送電装置１０１は、受電装置１０２から送電の停止を要求する送電停止要求を受信した場合や送電のエラーが生じた場合に充電用送電を終了する。また、受電装置１０２からの制御情報にエラー情報が含まれていてもよく、例えば、送電装置１０１は、エラーが発生したことを示す制御情報を受電装置１０２から受信した場合に送電を停止するようにしてもよい。また、送電装置１０１は、受電装置１０２が満充電であることを示す満充電通知を受信した場合、この満充電通知の送信元の受電装置１０２に対する充電用送電を停止する。また、送電装置１０１は、複数の受電装置への送電中に、送電停止要求を１台の受電装置１０２から受信した場合、送電停止要求の送信元の受電装置１０２に対する充電用送電を停止し、他の受電装置に対する送電は継続して行う。
【００４１】
また、受電装置１０２は、認証処理が成功すると、充電用送電により供給される電力を蓄電するために、制御部３０１によりスイッチ３１１をＯＦＦからＯＮにする。即ち、受電装置１０２は、充電用送電が開始されるまではバッテリ３０２へ電力が供給されないようにする。また、受電装置１０２は、充電を終了する場合は、制御部３０１によりスイッチ３１１をＯＮからＯＦＦにする。
【００４２】
また、送電装置１０１は、複数の受電装置に送電を行うことが可能である。例えば、送電装置１０１が第１受電装置に充電用送電を行っている場合、新たに受電を要求する第２受電装置は、第１受電装置に対する充電用送電を検出した場合、存在通知を送電装置１０１に送信する。存在通知を受信した送電装置１０１は、第２受電装置と認証処理を開始し、認証に成功すると、第２受電装置に対する充電用送電を開始する。このように、送電装置１０１は、複数の受電装置に同時に並行して充電用送電を行うことができる。
【００４３】
以上のようにして、受電装置１０２は、充電台１１０の上に置かれた場合、送電装置１０１から電力を受電してバッテリ３０２を充電することができる。受電装置１０３についても、受電装置１０２と同様の構成であり、充電台１１０の上に置かれると送電装置１０１から電力を受電することができる。さらに、受電装置１０２と１０３が両方とも充電台１１０の上に置かれた場合に、それぞれが送電装置１０１から同時に電力を受電するようにしてもよい。
【００４４】
＜受電装置間の通信＞
次に、受電装置１０２と受電装置１０３の間の通信について述べる。この通信についてもＢＬＥで行うものとして説明する。アプリケーション用通信と、無線電力伝送に関する通信の二種類の通信を行う。ＢＬＥではこれら二種類の通信を異なるサービスとして実装することで、並列して行うことができる。送電装置１０１とのＢＬＥ通信と、受電装置とのＢＬＥ通信についても同様に並列して行うことができる。なお、無線ＬＡＮやＺｉｇＢｅｅ（登録商標）など他の無線通信方式を用いてもよい。
【００４５】
アプリケーション用通信とは、受電装置１０２と受電装置１０３がそれぞれスマートフォンとスマートウォッチである場合にスマートフォンで受信した電子メールをスマートウォッチに表示するといった一般的なアプリケーションを実現するための通信である。このようなアプリケーションは従来技術で容易に実現可能であるため、説明を省略する。なお、電子メールの表示は一例であり、他のアプリケーションのための通信を行ってもよい。
【００４６】
無線電力伝送に関する通信とは、受電装置１０２が、受電装置１０３が対応する無線電力伝送方式の種別と受電装置１０３のバッテリ３０２の充電状態とを取得するための通信である。
【００４７】
これら二種類の通信を行うために受電装置１０２と受電装置１０３は、制御部３０１と通信部３０６を用いる。なお、通信部３０６を送電装置１０１との通信専用として、受電装置間通信用に別の通信部を用いてもよい。
【００４８】
＜処理＞
図４は、本実施形態に係る受電装置１０２の制御部３０１が実施する処理の手順を示すフローチャートである。まず、受電装置１０２は、通信部３０６を用いて、他の受電装置１０３との無線通信を確立する（Ｓ４０１）。これは他の受電装置１０３からアドバタイズパケットを受信して接続要求を出すことにより行う。次に、自装置の近傍に送電装置１０１が存在するか否かを判定する（Ｓ４０２）。この判定処理は、検出部３０４において送電装置１０１からの送電を検出するか、送電装置１０１からの接続要求を検出したか否かに基づいて実施する。送電装置１０１が存在する場合、該送電装置１０１が対応する無線電力伝送方式の種別を示す情報を取得する（Ｓ４０３：第１の取得処理）。これは既に述べた送電装置１０１による受電装置の認証処理の中で行う。
【００４９】
続いて、既に無線通信を確立している他の受電装置１０３から、対応する無線電力伝送方式の種別を示す情報と、バッテリ残量すなわち充電状態を示す情報とを取得する（Ｓ４０４：第２の取得処理）。ここで、送電装置１０１が対応する無線電力伝送方式の種別と、他の受電装置１０３が対応する無線電力伝送方式の種別とが一致するか否かを判定する（Ｓ４０５）。一致する場合、この送電装置１０１で他の受電装置１０３を充電することが可能ということになる。このとき、他の受電装置のバッテリ残量が所定値未満であれば（Ｓ４０６）、出力部３１０を用いて、ユーザに対して他の受電装置１０３の充電状態を通知するように制御する（Ｓ４０７）。
【００５０】
その後、処理を終了するか否かを判定する（Ｓ４０８）。例えば、受電装置１０２の電源がＯＦＦにされた場合に処理を終了し、そうでない場合にはＳ４０２に戻って処理を継続する。一方、無線電力伝送方式の種別が一致しないか（Ｓ４０５でＮＯ）、他の受電装置１０３のバッテリ残量が所定値以上であれば（Ｓ４０６でＮＯ）、充電状態を通知せずにＳ４０２に戻る。
【００５１】
＜充電状態の例＞
ここで、図５に、図４のＳ４０７においてユーザに通知する他の受電装置１０３の充電状態の一例を示す。表示５０１は、受電装置１０３がスマートウォッチである場合に、ユーザに通知する表示の例である。このように他の受電装置１０３の充電状態を通知する際には、該受電装置１０３をユーザが識別するための識別子や名称を付与してもよい。また、ユーザに対して他の受電装置１０３の充電を促す文章を付加してもよい。また、Ｓ４０７における充電状態の通知は、送電装置１０１対する無線電力伝送で他の受電装置１０３の充電が可能であることを示す情報の通知でもよい。また、Ｓ４０７における充電状態の通知は、送電装置１０１対する無線電力伝送で他の受電装置１０３を充電することをユーザに促すための情報の通知でもよい。
【００５２】
また、他の受電装置が複数ある場合は、Ｓ４０１でそれぞれと無線通信を確立し、Ｓ４０３とＳ４０４でそれぞれから情報を取得してもよい。この場合、Ｓ４０５で無線電力伝送方式の種別が一致した他の受電装置のそれぞれについて、バッテリ残量に関わらず、表示５０２のように一覧表示してユーザに通知してもよい。この場合、Ｓ４０６の処理を省略してもよい。なお、これらの表示は一例であり、他の受電装置が備える充電状態に関する情報であれば他の表示をしてもよい。
【００５３】
＜無線電力伝送システムを構成する各機器の動作例＞
続いて、図６を用いて、本実施形態に係る無線電力伝送システムを構成する各機器の動作例を説明する。図６において、時間は図の上から下の方向に流れる。図６において、送電装置１０１は、Ｒｅｚｅｎｃｅ（登録商標）による無線電力伝送に対応した送電装置である。また、スマートフォン６０２とスマートウォッチ６０３は、Ｒｅｚｅｎｃｅ（登録商標）による無線電力伝送に対応した受電装置であり、図２の受電装置１０２と同様の構成を持つ。また、少なくともスマートフォン６０２の制御部３０１は、図４のフローチャートを実行する機能を持つものとする。
【００５４】
まず時刻Ｔ１において、スマートフォン６０２はＳ４０１の処理を実行し、スマートウォッチ６０３との間で無線通信を確立し、従来のアプリケーション用通信を行う。この後、時刻Ｔ２において、ユーザはスマートフォン６０２とスマートウォッチ６０３の両方を携帯した状態で、送電装置１０１の近傍に到達し、スマートフォン６０２を充電台に置く。
【００５５】
すると、時刻Ｔ３において、送電装置１０１とスマートフォン６０２との間で、送電のための認証処理が行われる。この過程で、スマートフォン６０２は、送電装置１０１が自装置の近傍に存在することを検出するので、Ｓ４０２でＹＥＳとなる。同じく認証処理の過程でＳ４０３が実行され、送電装置１０１がＲｅｚｅｎｃｅ（登録商標）に対応することも検出される。続いて時刻Ｔ４において、スマートフォン６０２はＳ４０４の処理を実行し、既に時刻Ｔ１で確立している無線通信により、スマートウォッチ６０３がＲｅｚｅｎｃｅ（登録商標）に対応していることを示す情報と、バッテリ残量が少ないという情報とを取得する。
【００５６】
ここで、スマートフォン６０２は、自装置の近傍にある送電装置１０１と、スマートウォッチ６０３との両方がＲｅｚｅｎｃｅ（登録商標）に対応している、という情報を得ているため、Ｓ４０５でＹＥＳとなる。続いて、既に得ているスマートウォッチ６０３のバッテリ残量が少ないという情報から、Ｓ４０６もＹＥＳとなり、Ｓ４０７にて表示５０１を表示する。すなわち、スマートフォン６０２を送電装置１０１の充電台に置くと、同じくこの送電装置１０１で充電可能なスマートウォッチ６０３の充電状態がユーザに通知されることになる。
【００５７】
これにより、ユーザがスマートウォッチ６０３の充電を忘れることが抑制され、装置の利便性が高まる。受電装置がスマートフォンとスマートウォッチ以外の装置、例えばカメラ等の装置であっても、同様の効果が得られることは言うまでもない。
【００５８】
なお、本実施形態では、図４のＳ４０１において予め他の受電装置と無線通信を確立するものとしたが、この処理はＳ４０２でＹＥＳとなった後、もしくはＳ４０３の後で行ってもよい。この場合、スマートフォン６０２は、送電装置１０１の充電台に自装置が置かれた後で、スマートウォッチ６０３との無線通信を確立することになる。これにより、スマートフォン６０２とスマートウォッチ６０３との間でアプリケーションを使用していない期間であっても、スマートフォン６０２を充電台に置いたタイミングで、スマートウォッチ６０３の充電状態をユーザに通知することができる。
【００５９】
また、図４のＳ４０２において、自装置の近傍に送電装置１０１が存在することを、送電装置１０１からの検出用送電を検出する以外の方法により判定してもよい。例えば、送電装置１０１側から間欠的にアドバタイズパケットを送信することによる存在通知を行うようにしてもよい。
【００６０】
受電装置１０２においては、この送電装置１０１から送信されたアドバタイズパケットを受信することにより、自装置の近傍に送電装置１０１が存在することを検出することができる。さらに、受電装置１０２がＧＰＳ（Ｇｌｏｂａｌ  Ｐｏｓｉｔｉｏｎｉｎｇ  Ｓｙｓｔｅｍ）を備える場合には、メモリ３０８に予め送電装置１０１の位置（場所）を記憶しておく。そして、ＧＰＳで検出した自装置の現在地と送電装置１０１の位置（場所）との距離が所定値以下になったら、近傍に送電装置１０１が存在すると判定してもよい。このような方法により、受電装置１０２は、検出用送電を行わない送電装置についても、自装置の近傍に存在することを検出することができる。
【００６１】
以上説明したように、本実施形態によれば、ユーザが一つの機器を充電台に置くと、ユーザが持つ他の機器のうち、同じ充電台で充電可能な機器の情報を通知することができる。このため、充電が必要な機器が複数ある場合に、各機器の充電し忘れを抑止することができ、ユーザの利便性を高まることが可能となる。
【００６２】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００６３】
１０２：受電装置、３０１：制御部、３０２：バッテリ、３０３：受電部、３０４：検出部、３０５：受電アンテナ、３０６：通信部、３０７：タイマ、３０８：メモリ、３０９：入力部、３１０：出力部、３１１：スイッチ
【図１】
2018101908.tif 000003
【図２】
2018101908.tif 000004
【図３】
2018101908.tif 000005
【図４】
2018101908.tif 000006
【図５】
2018101908.tif 000007
【図６】
2018101908.tif 000008